【手続補正書】
【提出日】平成19年2月19日(2007.2.19)
【手続補正１】
【補正対象書類名】明細書
【補正対象項目名】特許請求の範囲
【補正方法】変更
【補正の内容】
【特許請求の範囲】
【請求項１】  分散型価値交換システムにおける複数のユーザ間の価値交換を促進する方法であって、
（ａ）第一のユーザと該価値交換システムとの間の電子登録接続中において、該価値交換システムに該第一のユーザを登録するステップと、
（ｂ）該第一のユーザから第一の価値交換通信を受信するステップであって、該価値交換には第二のユーザが関与しており、該第一の通信は、
（ｉ）該第二のユーザの既存の識別子であって、該既存の識別子は、該価値交換システムから独立した該第二のユーザとの通信を可能にする、既存の識別子と、
（ｉｉ）  該第一のユーザと該第二のユーザとの間で交換される価値と、
を含む、ステップと、
（ｃ）該価値交換の該第二のユーザに第二の通信を送信するステップと、
（ｄ）該第一のユーザと該第二のユーザとの間における該価値の交換を電子的に開始するステップと
を含む、方法。
【請求項２】  （ｃ’）前記価値交換システムにまだ登録されていない場合、該価値交換システムに前記第二のユーザを登録するステップをさらに含む、請求項１に記載の方法。
【請求項３】  前記第一のユーザと前記第二のユーザとの間で交換される前記価値が、該第一のユーザから該第二のユーザへ転送されることになる、請求項１に記載の方法。
【請求項４】  前記第一のユーザと前記第二のユーザとの間で交換される前記価値が、該第二のユーザから該第一のユーザへ転送されることになる、請求項１に記載の方法。
【請求項５】  前記第一のユーザと前記第二のユーザとの間で交換される前記価値が、換金可能な証書として該第二のユーザによって受け取り可能である、請求項３に記載の方法。
【請求項６】  前記換金可能な証書は、前記第二のユーザに提供される電子リンクを選択することによって該第二のユーザによって買い戻し可能である、請求項５に記載の方法。
【請求項７】  前記換金可能な証書は、電子広告を含む、請求項５に記載の方法。
【請求項８】  前記第一のユーザと前記第二のユーザとの間で交換される前記価値は、デビットカードを通して該第二のユーザによって受け取り可能である、請求項３に記載の方法。
【請求項９】  前記第一のユーザと前記第二のユーザとの間で交換される前記価値は、ウェブの証明書の形式で該第二のユーザによって受け取り可能であり、前記方法は、
該第一のユーザと該第二のユーザとの間で交換される該価値を、該第二のユーザから第三のユーザへ転送するステップをさらに含む、請求項３に記載の方法。
【請求項１０】  前記既存の識別子は電話番号である、請求項１に記載の方法。
【請求項１１】  前記既存の識別子は電子メールアドレスである、請求項１に記載の方法。
【請求項１２】  前記第一の価値交換通信を受信するステップは、
前記第一のユーザのモバイルクライアントデバイスで第二のユーザが関与する価値交換を開始するステップと、
該第一のユーザと該価値交換システムとの間の接続を確立するステップと、
該価値交換を前記システムに送信するステップと
を含む、請求項１に記載の方法。
【請求項１３】  前記価値交換を開始するステップは、前記第一のユーザのモバイル計算機器と第二のユーザのモバイルクライアントデバイスとの間の通信リンクを確立するステップを含む、請求項１２に記載の方法。
【請求項１４】  前記第一の価値交換通信は、モバイル通信デバイスを通して前記第一のユーザから受信される、請求項１に記載の方法。
【請求項１５】  前記モバイル通信デバイスは、携帯情報端末機器である、請求項１４に記載の方法。
【請求項１６】  前記モバイル通信デバイスは、電話である、請求項１４に記載の方法。
【請求項１７】  前記モバイル通信デバイスは、送受信可能ポケットベルである、請求項１４に記載の方法。
【請求項１８】  前記価値交換通信は、無線ネットワークを通して前記モバイル通信デバイスから受信される、請求項１４に記載の方法。
【請求項１９】  前記モバイル通信デバイスは、切断可能デバイスである、請求項１４に記載の方法。
【請求項２０】  前記第一のユーザと前記第二のユーザとの間で交換される前記価値を、第一の形式から第二の形式へ変換するステップをさらに含む、請求項１に記載の方法。
【請求項２１】  前記第一の形式は第一の通貨であり、前記第二の形式は第二の通貨である、請求項２０に記載の方法。
【請求項２２】  前記第一のユーザと前記第二のユーザとの間で交換される前記価値の前記形式は、前記既存の識別子に依存する、請求項１に記載の方法。
【請求項２３】  前記第一のユーザと前記第二のユーザとの間で交換される前記価値を、前記価値交換が完了するまで第三者預託当事者に第三者預託して保持するステップをさらに含む、請求項１に記載の方法。
【請求項２４】  前記第二のユーザと第三のユーザとの間の第二の価値交換に対して前記（ｂ）、（ｃ）、（ｄ）ステップを繰り返すステップをさらに含む、請求項１に記載の方法。
【請求項２５】  非対称暗号方式が、前記価値交換を安全にするために適用される、請求項１に記載の方法。
【請求項２６】  分散型取引システムを通して複数のユーザ間の価値交換を促進する方法であって、
（ａ）第二のユーザと価値を交換するために、命令を第一のユーザから受信するステップであって、該第一のユーザは、該分散型取引システムの登録ユーザであり、該命令は、
（ｉ）該分散型取引システムに登録していない第二のユーザの識別子であって、該識別子は、該分散型取引システムから独立して該第二のユーザを識別するために使用可能である、識別子と、
（ｉｉ）該第一のユーザと該第二のユーザとの間で交換される価値と、
を含む、ステップと、
（ｂ）該価値交換を該第二のユーザに通知するステップと、
（ｃ）該分散型取引システムに該第二のユーザを登録するステップと、
（ｄ）該第一のユーザと該第二のユーザとの間で該価値を転送するステップと
を含む、方法。
【請求項２７】  前記識別子は、電子メールアドレスである、請求項２６に記載の方法。
【請求項２８】  前記識別子は、電話番号である、請求項２６に記載の方法。
【請求項２９】  前記命令は、前記第一のユーザによって動作されるモバイル通信デバイスを通して受信される、請求項２６に記載の方法。
【請求項３０】  複数のユーザ間の価値交換ための価値交換システムであって、
該価値交換システムの登録ユーザに関する情報、および該登録ユーザによって行われる取引の詳細に関する情報を格納するよう構成されるデータベースと、
第一のパーティによって動作されるクライアントデバイスから第一の価値交換についての第一の通信を受信するよう構成される同期サーバであって、該第一の通信は、該価値交換システムから独立して第二のパーティーを識別可能である識別子で、該第一の価値交換に対して該第二のパーティーを識別する、同期サーバと、
第二のユーザから接続を受信し、そしてまだ登録されていない場合は、該第二のパーティーを登録するよう構成される通信サーバと
を含む、価値交換システム。
【請求項３１】  前記第一の価値交換を促進するために、第二の通信を金融機関へ送信するよう構成される金融サーバをさらに含む、請求項３０に記載のシステム。
【請求項３２】  前記第一のパーティを認証するために使用され得るディジタル身元証明書を生成するよう構成されるセキュリティサーバをさらに含む、請求項３０に記載のシステム。
【請求項３３】  前記セキュリティサーバが、前記価値交換を認証するために使用され得るディジタル取引証明書を認証するようにさらに構成される、請求項３２に記載のシステム。
【請求項３４】  前記識別子は、電子メールアドレスおよび電話番号のうちの１つである、請求項３０に記載のシステム。
【請求項３５】  コンピュータによって実行される場合、該コンピュータに、分散型価値交換システムにおいて、複数のユーザ間の価値交換を促進する方法を実行させる命令を格納するコンピュータ読み取り可能格納媒体であって、該方法は、
（ａ）第一のユーザと該価値交換システムとの間の電子登録接続中に、該価値交換システムに該第一のユーザを登録するステップと、
（ｂ）該第一のユーザから第一の価値交換通信を受信するステップであって、該価値交換は、第二のユーザが関与しており、該第一の通信は、
（ｉ）該第二のユーザの既存の識別子であって、該既存の識別子は、該価値交換システムと独立して該第二のユーザとの通信を可能にする、識別子と、
（ｉｉ）該第一のユーザと該第二のユーザとの間で交換される価値と
を含む、ステップと、
（ｃ）該価値交換の該第二のユーザに第二の通信を送信するステップと、
（ｄ）該第一のユーザと該第二のユーザとの間の該価値の交換を電子的に開始するステップと
を含む、コンピュータ読み取り可能格納媒体。
【請求項３６】  コンピュータによって実行される場合、該コンピュータに、分散型取引システムを通して、複数のユーザ間の価値交換を促進する方法を実行させる命令を格納するコンピュータ読み取り可能格納媒体であって、該方法は、
（ａ）第二のユーザと価値を交換するため、第一のユーザからの命令を受信するステップであって、該第一のユーザは、該分散型取引システムの登録ユーザであり、該命令は、
（ｉ）該分散型取引システムに登録されていない第二のユーザの識別子であって、該識別子は、該分散型取引システムと独立して該第二のユーザを識別するために使用可能である、識別子と、
（ｉｉ）該第一のユーザと該第二のユーザとの間で交換される価値と
を含む、ステップと
（ｂ）該第二のユーザに該価値交換を通知するステップと、
（ｃ）該分散型取引システムに該第二のユーザを登録するステップと、
（ｄ）該第一のユーザと該第二のユーザとの間で該価値を転送するステップと
を含む、コンピュータ読み取り可能格納媒体。
【請求項３７】  一ユーザから別のユーザへの価値の転送を促進するシステムであって、
価値提供者から価値転送要求を受信する手段であって、該価値転送要求は、
価値受信者の電子メールアドレスと、
該価値提供者から該価値受信者へと転送される第一の価値と
を含む、手段と、
該価値提供者に関連する第一の口座から該第一の価値を借方に記入し、該価値受信者に関連する第二の口座に振り込む手段と、
該第一の価値が該第一の口座から借方に記入され、該第二の口座に振り込まれた後でのみ、該価値の転送を該価値受信者に通知する手段と、
を備え、該価値受信者が、該価値転送を目的として、該電子メールアドレスによってのみ識別可能である、システム。
【請求項３８】
複数のユーザ間の価値交換を促進する分散型価値交換システムであって、
（ａ）該価値交換システムに第一のユーザを登録する登録手段であって、該第一のユーザは該価値交換システムで第一の口座を割り当てられている、登録手段と、
（ｂ）該価値交換システムにおいて、該第一のユーザから価値交換取引を受信する受信手段であって、該取引には第二のユーザが関与しており、該取引は、
（ｉ）該第二のユーザの既存の識別子であって、該既存の識別子は、該価値交換システムから独立した該第二のユーザとの通信を可能にする、既存の識別子と、
（ｉｉ）該第一のユーザと該第二のユーザとの間で交換される価値と
を含み、該第一のユーザは、該価値交換取引を該第二のユーザに通知せずに、該価値交換システムに該価値交換取引を送信する、受信手段と、
（ｃ）通知手段であって、
（ｉ）該価値交換取引の通知をコンピュータが生成し、
（ｉｉ）該第二のユーザに該通知を電子的に送信する、通知手段と、
（ｄ）価値交換手段であって、
（ｉ）該第一の口座と、該第二のユーザに関連した第二の口座とのうちの一方から該価値を借方に記入し、
（ｉｉ）該第一の口座と、該第二の口座とのうちのもう一方に該価値を振り込む、価値交換手段と
を含む、システム。
【請求項３９】
分散型価値交換システムにおいて複数のユーザ間の価値交換を促進するコンピュータ実装方法であって、
（ａ）該価値交換システムに第一のユーザを登録するステップであって、該第一のユーザは該価値交換システムで第一の口座を割り当てられている、ステップと、
（ｂ）該価値交換システムにおいて、該第一のユーザから価値交換取引を受信するステップであって、該取引には第二のユーザが関与しており、該取引は、
（ｉ）該第二のユーザの既存の識別子であって、該既存の識別子は、該価値交換システムから独立した該第二のユーザとの通信を可能にする、既存の識別子と、
（ｉｉ）該第一のユーザと該第二のユーザとの間で交換される価値と
を含み、該第一のユーザは、該価値交換取引を該第二のユーザに通知せずに、該価値交換システムに該価値交換取引を送信する、ステップと、
（ｃ）該価値交換システムにおいて、
（ｉ）該価値交換取引の通知をコンピュータが生成し、
（ｉｉ）該第二のユーザに該通知を電子的に送信し、
（ｉｉｉ）該電子的に送信する前において、該第一の口座と、該第二のユーザに関連した第二の口座とのうちの一方から該価値を借方に記入し、該第一の口座と、該第二の口座とのうちのもう一方に該価値を振り込む、ステップと
を含む、方法。
【請求項４０】
コンピュータによって実行される場合、該コンピュータに、分散型価値交換システムにおいて複数のユーザ間の価値交換を促進する方法を実行させる命令を格納するコンピュータ読み取り可能格納媒体であって、該方法は、
（ａ）該価値交換システムに第一のユーザを登録するステップであって、該第一のユーザは該価値交換システムで第一の口座を割り当てられている、ステップと、
（ｂ）該価値交換システムにおいて、該第一のユーザから価値交換取引を受信するステップであって、該取引には第二のユーザが関与しており、該取引は、
（ｉ）該第二のユーザの既存の識別子であって、該既存の識別子は、該価値交換システムから独立した該第二のユーザとの通信を可能にする、既存の識別子と、
（ｉｉ）該第一のユーザと該第二のユーザとの間で交換される価値と
を含み、該第一のユーザは、該価値交換取引を該第二のユーザに通知せずに、該価値交換システムに該価値交換取引を送信する、ステップと、
（ｃ）該価値交換システムにおいて、
（ｉ）該価値交換取引の通知をコンピュータが生成し、
（ｉｉ）該第二のユーザに該通知を電子的に送信し、
（ｉｉｉ）該電子的に送信する前において、該第一の口座と、該第二のユーザに関連した第二の口座とのうちの一方から該価値を借方に記入し、該第一の口座と、該第二の口座とのうちのもう一方に該価値を振り込む、ステップと
を含む、コンピュータ読み取り可能格納媒体。
【請求項４１】
複数のユーザ間の価値交換を、該複数のユーザと離れた分散型取引システムを介して促進するコンピュータ実装方法であって、該方法は、
（ａ）第二のユーザと価値を交換するために、命令を第一のユーザから受信するステップであって、該第一のユーザは該分散型取引システムの登録ユーザであり、該命令は、
（ｉ）該分散型取引システムに登録していない第二のユーザの識別子であって、該識別子は、該分散型取引システムから独立して該第二のユーザを識別するために使用可能である、識別子と、
（ｉｉ）該第一のユーザと該第二のユーザとの間で交換される価値と、
を含む、ステップと、
（ｂ）該分散型取引システムからの電子通信において、該価値交換を該第二のユーザに通知するステップと、
（ｃ）コンピュータにおいて、該分散型取引システムに該第二のユーザを登録するステップであって、該分散型取引システムは該コンピュータを含んでいる、ステップと、
（ｄ）該第一のユーザと該第二のユーザとのうちの一方の口座から該価値を借方に記入するステップと、
（ｅ）該第一のユーザと該第二のユーザとのうちのもう一方の口座に該価値を振り込むステップと
を含み、
該受信するステップの後かつ該借方に記入するステップおよび該振り込むステップの前において、該価値交換のどの項目も該第二のユーザによって交渉可能ではない、方法。
【請求項４２】
コンピュータによって実行される場合、該コンピュータに、分散型取引システムを介して複数のユーザ間の価値交換を促進する方法を実行させる命令を格納するコンピュータ読み取り可能格納媒体であって、該方法は、
（ａ）第二のユーザと価値を交換するために、命令を第一のユーザから受信するステップであって、該第一のユーザは該分散型取引システムの登録ユーザであり、該命令は、
（ｉ）該分散型取引システムに登録していない第二のユーザの識別子であって、該識別子は、該分散型取引システムから独立して該第二のユーザを識別するために使用可能である、識別子と、
（ｉｉ）該第一のユーザと該第二のユーザとの間で交換される価値と、
を含む、ステップと、
（ｂ）該分散型取引システムからの電子通信において、該価値交換を該第二のユーザに通知するステップと、
（ｃ）コンピュータにおいて、該分散型取引システムに該第二のユーザを登録するステップであって、該分散型取引システムは該コンピュータを含んでいる、ステップと、
（ｄ）該第一のユーザと該第二のユーザとのうちの一方の口座から該価値を借方に記入するステップと、
（ｅ）該第一のユーザと該第二のユーザとのうちのもう一方の口座に該価値を振り込むステップと
を含み、
該受信するステップの後かつ該借方に記入するステップおよび該振り込むステップの前において、該価値交換のどの項目も該第二のユーザによって交渉可能ではない、コンピュータ読み取り可能媒体。
【請求項４３】
価値を転送するコンピュータ実装方法であって、
価値転送システムの登録ユーザから接続を受信するステップであって、該登録ユーザは該価値転送システムで第一の口座を有しており、該第一の口座は該登録ユーザの第一の電子メールアドレスによって識別される、ステップと、
別のパーティーへの価値の転送を実行させる命令を該登録ユーザから受信するステップであって、該別のパーティーは第二の電子メールアドレスによってのみ識別され、該要求は、
該第二の電子メールアドレスと、
該別のパーティーに転送される第一の価値と
を含む、ステップと、
第二の口座が存在していない場合において、該別のパーティーに対して該価値転送システムで第二の口座を作成するステップであって、該第二の口座は該第二の電子メールアドレスによって識別される、ステップと、
該価値転送システムにおいて、該第一の価値だけ該第一の口座を借方に記入することと、該第一の価値だけ該第二の口座に振り込むこととによって、該第一の価値を該登録ユーザから該別のパーティーに転送するステップと、
該第一の価値が転送された後においてのみ、電子メールを介して該転送の通知を該価値転送システムから該別のパーティーに送信するステップと、
を包含し、未登録パーティーは、該登録ユーザによる該転送の通知を受けない、方法。
【請求項４４】
コンピュータによって実行される場合、該コンピュータに、価値を転送する方法を実行させる命令を格納するコンピュータ読み取り可能格納媒体であって、該方法は、
価値転送システムの登録ユーザから接続を受信するステップであって、該登録ユーザは該価値転送システムで第一の口座を有しており、該第一の口座は該登録ユーザの第一の電子メールアドレスによって識別される、ステップと、
別のパーティーへの価値の転送を実行させる命令を該登録ユーザから受信するステップであって、該別のパーティーは第二の電子メールアドレスによってのみ識別され、該要求は、
該第二の電子メールアドレスと、
該別のパーティーに転送される第一の価値と
を含む、ステップと、
第二の口座が存在していない場合において、該別のパーティーに対して該価値転送システムで第二の口座を作成するステップであって、該第二の口座は該第二の電子メールアドレスによって識別される、ステップと、
該価値転送システムにおいて、該第一の価値だけ該第一の口座を借方に記入することと、該第一の価値だけ該第二の口座に振り込むこととによって、該第一の価値を該登録ユーザから該別のパーティーに転送するステップと、
該第一の価値が転送された後においてのみ、電子メールを介して該転送の通知を該価値転送システムから該別のパーティーに送信するステップと、
を包含し、未登録パーティーは、該登録ユーザによる該転送の通知を受けない、コンピュータ読み取り可能媒体。